(57)【要約】【課題】  栓部の開閉動作等に伴う磨耗及び損傷を抑制することが可能な釣り竿を提供する。【解決手段】  釣り竿１は、筒状を呈する竿素材部１０と、竿素材部１０の外周面に設けられる発泡部２０と、竿素材部１０の外周面において、発泡部２０の竿尻側端部から竿素材部１０の竿尻側端部にかけて設けられる、発泡部２０よりも硬い硬質部３０と、竿素材部１０の竿尻側端部の開口を塞ぎ、竿素材部１０及び硬質部３０の竿尻側端部を覆う栓部７０と、を備える。【選択図】      図１
2015192631.tif 000002
【特許請求の範囲】
【請求項１】
筒状を呈する竿素材部と、
前記竿素材部の外周面に設けられる発泡部と、
前記竿素材部の外周面において、前記発泡部の竿尻側端部から前記竿素材部の竿尻側端部にかけて設けられる、前記発泡部よりも硬い硬質部と、
前記竿素材部の竿尻側端部の開口を塞ぎ、前記竿素材部及び前記硬質部の竿尻側端部を覆う栓部と、
を備えることを特徴とする釣り竿。
【請求項２】
前記発泡部の外径は、前記硬質部の外径よりも大きく、
前記発泡部及び前記硬質部の外周面には、繊維体を有するブレーディング部が設けられており、
前記栓部は、前記竿素材部、前記硬質部及び前記ブレーディング部の竿尻側端部を覆う形状を呈する
ことを特徴とする請求項１に記載の釣り竿。
【請求項３】
前記硬質部上の前記ブレーディング部には、前記発泡部上の前記ブレーディング部上の前記ブレーディング部の竿尻側端部と前記栓部とをつなぐ傾斜を呈する糸止め部が設けられている
ことを特徴とする請求項２に記載の釣り竿。
【発明の詳細な説明】
【技術分野】
【０００１】
本発明は、釣り竿に関する。
【背景技術】
【０００２】
従来の釣り竿は、グリップ構造として、竿尻側のロッド本体の外周面に発泡材や柔軟性部材といった軟らかい部材を設けることにより、釣り人が持ちやすい握り疲れしない構造を採用している（特許文献１参照）。
【先行技術文献】
【特許文献】
【０００３】
【特許文献１】実開平５−８８２６４号公報
【発明の概要】
【発明が解決しようとする課題】
【０００４】
かかる釣り竿において、ロッド本体の竿尻側端部の開口は、尻栓（栓部）によって塞がれる。かかる構造では、尻栓の開閉動作時に発生する尻栓による摩擦によって、発泡材及び柔軟性部材の竿尻側端部が磨耗したり損傷したりするおそれがある。また、尻栓を取り外した状態において、発泡材及び柔軟性部材の竿尻側端部が損傷するおそれがある。
【０００５】
本発明は、前記した事情に鑑みて創案されたものであり、栓部の開閉動作等に伴う磨耗及び損傷を抑制することが可能な釣り竿を提供することを課題とする。
【課題を解決するための手段】
【０００６】
前記課題を解決するため、本発明の釣り竿は、筒状を呈する竿素材部と、前記竿素材部の外周面に設けられる発泡部と、前記竿素材部の外周面において、前記発泡部の竿尻側端部から前記竿素材部の竿尻側端部にかけて設けられる、前記発泡部よりも硬い硬質部と、前記竿素材部の竿尻側端部の開口を塞ぎ、前記竿素材部及び前記硬質部の竿尻側端部を覆う栓部と、を備えることを特徴とする。
【０００７】
かかる構成によると、竿尻側端部には発泡部ではなく硬質部が設けられているので、栓部の開閉動作等に伴う栓部の頭部と当接する部位の磨耗及び損傷を抑制することができる。また、栓部を取り外した状態において、釣り竿の竿尻側端部の損傷を防ぐことができる。
【０００８】
前記発泡部の外径は、前記硬質部の外径よりも大きく、前記発泡部及び前記硬質部の外周面には、繊維体を有するブレーディング部が設けられており、前記栓部は、前記竿素材部、前記硬質部及び前記ブレーディング部の竿尻側端部を覆う形状を呈する構成であってもよい。
【０００９】
かかる構成によると、発泡部の竿尻側端部の外径が硬質部の外径よりも大きいので、釣り人にとって持ちやすく、握り疲れを防ぐことができる。
【００１０】
前記硬質部上の前記ブレーディング部には、前記発泡部上の前記ブレーディング部上の前記ブレーディング部の竿尻側端部と前記栓部とをつなぐ傾斜を呈する糸止め部が設けられている構成であってもよい。
【００１１】
かかる構成によると、ブレーディング部の両端部が糸止め部によって被覆されているため、ブレーディング部の繊維体のほつれを防ぐことができる。また、糸止め部が発泡部上のブレーディング部の竿尻側端部と栓部の頭部の竿先側端部とをつなぐテーパ形状を呈するので、釣り人にとって持ちやすく、握り疲れを防ぐことができる。
【発明の効果】
【００１２】
本発明によれば、栓部の開閉動作等に伴う磨耗及び損傷を抑制することができる。
【図面の簡単な説明】
【００１３】
【図１】（ａ）は、本発明の実施形態に係る釣り竿のグリップ構造を示す斜視図であり、（ｂ）は、釣り竿のグリップ構造を示す断面図である。
【図２】（ａ）〜（ｆ）は、釣り竿の製造方法を説明するための図である。
【発明を実施するための形態】
【００１４】
以下、本発明の実施形態について、適宜図面を参照しながら説明する。同様の部分には同一符号を付し、重複する説明を省略する。図１（ａ）は、本発明の実施形態に係る釣り竿のグリップ構造を示す斜視図であり、（ｂ）は、釣り竿のグリップ構造を示す断面図である。図１（ｂ）では、竿素材部１０、発泡部２０、硬質部３０、ブレーディング部４０及び糸止め部６０が断面図として示されており、栓部７０が側面図として示されている。
【００１５】
＜釣り竿＞
図１（ａ）（ｂ）に示すように、本発明の実施形態に係る釣り竿１は、釣り人が握る竿尻のグリップ構造として、竿素材部１０と、発泡部２０と、硬質部３０と、ブレーディング部４０と、糸止め部５０，６０と、栓部７０と、を備える。
【００１６】
＜竿素材部＞
竿素材部１０は、釣り竿１の竿尻側のロッドの本体を構成する繊維強化樹脂（炭素繊維強化樹脂、ガラス繊維強化樹脂等）製の部材である竿素材部１０は、細長い円筒形状を呈しており、竿素材部１０内には、竿先側の一以上のロッドが収容可能である。竿素材部１０の内周面の竿尻側端部には、雌ネジ部１１が形成されている。
【００１７】
＜発泡部＞
発泡部２０は、竿素材部１０よりも軟らかくて釣り竿１のグリップ構造の主要部を構成する多孔質性の部材であって、竿素材部１０の外周面に設けられた発泡樹脂（発泡ウレタン樹脂、発泡ポリエチレン等）製の部材である。なお、発泡部２０の材料としては、天然の多孔質性部材であるコルクも使用可能である。発泡部２０は、中間部に最大外径となる部位を有するとともに最大外径となる部位から両端部に向かうにつれてそれぞれ縮径する紡錘筒形状を呈しており、竿素材部１０に外嵌される。発泡部２０の竿尻側端部は、竿素材部１０の竿尻側端部よりも竿先側に配置されている。すなわち、発泡部２０が竿素材部１０に外嵌された状態において、竿素材部１０の外周面の竿尻側端部の所定範囲は、露出している。かかる露出部位には、次に説明する硬質部３０が外嵌される。
【００１８】
＜硬質部＞
硬質部３０は、竿素材１０の外周面に設けられた、発泡部２０よりも硬い樹脂製の部材である。硬質部３０の材料としては、繊維強化樹脂（炭素繊維強化樹脂、ガラス強化樹脂等）、熱可塑性樹脂（ポリアミド、ポリウレタン、ポリエステル等）、熱硬化性樹脂（ＡＢＳ等）等が使用可能である。硬質部３０は、円筒形状を呈しており、竿素材部１０に外嵌される。硬質部３０の外径は、発泡部２０の竿尻側端部の外径よりも小さい。硬質部３０の竿先側端部の端面は、発泡部２０の竿尻側端部の端面と当接しており、硬質部材３０の竿尻側端部の端面は、竿素材部１０の竿尻側端部の端面と面一となっている。
【００１９】
＜ブレーディング部＞
ブレーディング部４０は、発泡部２０及び硬質部３０の外周面の全体にわたって設けられた繊維体を塗料で固めた部材である。ブレーディング部４０の繊維体としては、ナイロン糸、綿糸、ビニロン糸等が使用可能である。また、ブレーディング部４０の塗料としては、ウレタン塗料、エポキシ塗料等が使用可能である。かかる繊維体は、編み込み又は平巻きによって発泡部２０及び硬質部３０の外周面を被覆する。ブレーディング部４０は、発泡部２０の外周面に設けられた第一ブレーディング部４１と、硬質部３０の外周面に設けられた第二ブレーディング部４２と、を一体に備える。なお、硬質部３０上に設けられた第二ブレーディング部４２の外径は、発泡材２０の竿尻側端部の外径と等しく、又は、発泡材２０の竿尻側端部の外径よりも小さく設定される。
【００２０】
＜糸止め部＞
糸止め部５０，６０は、ブレーディング部４０の竿先側端部及び竿尻側端部の繊維体を止める樹脂層である。かかる糸止め部５０，６０は、ブレーディング部４０の両端部に、例えば紫外線硬化樹脂（紫外線硬化型ウレタン塗料、紫外線硬化型エポキシ塗料等）を塗布して硬化させることによって形成されており、ブレーディング部４０の繊維体の両端部を被覆して保護し、繊維体がほつれることを防止する。
【００２１】
糸止め部５０は、第一ブレーディング部４１の外周面から竿素材部１０の外周面にわたって設けられている。かかる糸止め部５０は、竿尻側端部から竿先側端部に向かって縮径するテーパ形状を呈しており、第一ブレーディング部４１の紡錘形状と竿素材部１０の外周面とを滑らかに繋いでいる。
【００２２】
糸止め部６０は、第二ブレーディング部４２の外周面に設けられている。かかる糸止め部６０は、竿先側端部から竿尻側端部に向かって縮径するテーパ形状を呈しており、第一ブレーディング部４１の紡錘形状と栓部７０の頭部７２の外周面とを滑らかに繋いでいる。
【００２３】
＜栓部＞
栓部７０は、竿素材部１０の竿尻側端部の開口を塞ぐ金属製又は樹脂製の部材である。樹脂製の栓部７０の材料としては、繊維強化樹脂（炭素繊維強化樹脂、ガラス強化樹脂等）、熱可塑性樹脂（ポリアミド、ポリウレタン、ポリエステル等）、熱硬化性樹脂（ＡＢＳ等）等が使用可能である。栓部７０は、竿素材部１０に挿入される挿入部７１と、釣り竿１の竿尻側端部を構成する頭部７２と、を一体に備える。挿入部７１は、円柱又は円筒形状を呈しており、挿入部７１の外周面には、竿素材部１０の雌ネジ部１１と螺合可能な雄ネジ部７１ａが形成されている。頭部７２は、竿素材部１０、硬質部３０及び第二ブレーディング部４２の竿尻側端部を覆う形状を呈する。すなわち、頭部７０の竿先側端部の外径は、硬質部３０上に設けられた第二ブレーディング部７２の外径と等しく設定される。
【００２４】
なお、図示は省略するが、栓部７０の頭部７２の竿先側端部と硬質部３０の竿尻側端部との間にＯリングを介設する構成であってもよい。
【００２５】
かかる釣り竿１において、糸止め部５０、第一ブレーディング部４１、糸止め部６０及び栓部７０の外周面は、滑らかな紡錘形状を呈する。
【００２６】
＜釣り竿の製造方法＞
続いて、釣り竿１のグリップ構造の製造方法の一例について、図２を参照して説明する。図２（ａ）〜（ｆ）は、釣り竿の製造方法を説明するための図である。より詳細には、図２（ａ）は、竿素材部の外周面及び発泡部の内周面に接着剤を塗布した状態を示す図、図２（ｂ）は、竿素材部の外周面に発泡部を配置した状態を示す図、図２（ｃ）は、竿素材部の外周面に硬質部を配置する前の状態を示す図、図２（ｄ）は、竿素材部の外周面に硬質部を配置した状態を示す図、図２（ｅ）は、発泡部及び硬質部の外周面にブレーディング部を形成した状態を示す図、図２（ｆ）は、ブレーディング部の両端部に糸止め部を形成した状態を示す図である。なお、図２（ａ）（ｂ）では、発泡部２０が断面図として示されている。
【００２７】
まず、図２（ａ）に示すように、竿素材部１０にマーキング１２，１３を付すとともに、竿素材部１０の外周面に接着剤を塗布する。ここで、マーキング１２，１３は、発泡部２０の取付位置の目安である。接着剤は、竿素材部１０の外周面の竿尻側端部から竿先側のマーキング１２にかけて塗布される。また、発泡部２０の内周面にも、接着剤を塗布する。
【００２８】
続いて、図２（ｂ）に示すように、発泡部２０を竿素材部１０の竿尻側端部から当該竿素材部１０に外嵌して（又は、竿素材部１０を発泡部２０の竿先側端部から当該発泡部２０に挿入して）、発泡部２０を竿素材部１０の外周面におけるマーキング１２，１３間に配置する。竿素材部１０の外周面に配置された発泡部２０は、接着剤によって竿素材部１０に固定される。
【００２９】
続いて、図２（ｃ）（ｄ）に示すように、硬質部３０を竿素材部１０の竿尻側端部から当該竿素材部１０に外嵌して（又は、竿素材部１０を硬質部３０の竿先側端部から当該硬質部３０に挿入して）、硬質部３０を竿素材部１０の外周面における竿尻側端部と竿尻側のマーキング１３との間に配置する。ここで、硬質部３０の竿先側端部の端面は、発泡部２０の竿尻側端部の端面と当接する。また、竿素材部１０の外周面に配置された硬質部３０は、接着剤によって竿素材部１０に固定される。
【００３０】
続いて、図２（ｅ）に示すように、繊維体を発泡部２０及び硬質部３０の外周面に設け、繊維体が設けられた発泡部２０及び硬質部３０の外周面に塗料を塗布し、塗布された塗料を乾燥させることによって、発泡部２０及び硬質部３０の外周面にブレーディング部４０を形成する。
【００３１】
続いて、図２（ｆ）に示すように、ブレーディング部４０の両端部上に、糸止め部５０，６０を形成する。ここで、糸止め部５０，６０は、紫外線硬化樹脂を塗布して硬化させた樹脂層である。
【００３２】
この後、栓部７０の雄ネジ部７１を竿素材部１０の雌ネジ部１１に螺合させることによって、竿素材部１０の竿尻側端部の開口を塞ぎ、図１（ａ）に示す釣り竿１のグリップ構造が完成する。
【００３３】
本発明の実施形態に係る釣り竿１は、竿尻側端部には発泡部２０ではなく硬質部３０が設けられているので、栓部７０の開閉動作等に伴う栓部７０の頭部７２と当接する部位の磨耗及び損傷を抑制することができる。また、栓部７０を取り外した状態において、釣り竿１の竿尻側端部の損傷を防ぐことができる。
また、釣り竿１は、紡錘形状を呈する発泡部２０の竿尻側端部の外径が硬質部３０の外径よりも大きいので、釣り人にとって持ちやすく、握り疲れを防ぐことができる。
また、釣り竿１は、ブレーディング部４０の両端部が糸止め部５０，６０によって被覆されているため、ブレーディング部４０の繊維体のほつれを防ぐことができる。
また、釣り竿１は、糸止め部６０が第一ブレーディング部４１の竿尻側端部と栓部７０の頭部７２の竿先側端部とをつなぐテーパ形状を呈するので、釣り人にとって持ちやすく、握り疲れを防ぐことができる。
また、釣り竿１は、竿素材部１０に雌ネジ部１１が形成されて栓部７０に雄ネジ部７１ａが形成されているので、竿素材部側に雄ネジ部が形成されて栓部に雌ネジ部が形成されている場合と比較して、雄ネジ部用の部材の部品点数を削減して軽量化を図るとともに、竿素材部１０に収容される竿先側のロッドの設計の自由度を増すことができる。
【００３４】
以上、本発明の実施形態について説明したが、本発明は前記実施形態に限定されず、本発明の要旨を逸脱しない範囲で適宜変更可能である。例えば、竿素材部１０、発泡部２０、硬質部３０、ブレーディング部４０の繊維体及び塗料、糸止め部５０，６０並びに栓部７０の材料は、前記したものに限定されない。また、本発明の釣り竿１は、振出竿等、各種釣り竿に適用可能である。
【符号の説明】
【００３５】
１      釣り竿
１０    竿素材部
２０    発泡部
３０    硬質部
４０    ブレーディング部（繊維体）
５０，６０  糸止め部
７０    栓部
【図１】
2015192631.tif 000003
【図２】
2015192631.tif 000004